(57)【要約】      （修正有）【課題】手荷物等を安定した吊下げ状態で持ち運ぶことができ、肩から外れにくい携帯に便利な荷物持ち運び用の肩掛け具を提供する。【解決手段】荷物持ち運び用の肩掛け具は、荷物を吊り下げるための第１、第２フック金具２１、２２と、これらを吊り下げる第１、第２ゴム紐ループ２３、２４と、第１、第２ゴム紐ループ２３、２４が吊り下げられている長さ調整可能な肩掛けベルト２５とを備えている。また、第１、第２ゴム紐ループ２３、２４を、それらの長さ方向にスライド可能な状態で束ねている第１リング２７を備えている。第１リング２７の位置をスライドさせて、第１、第２フック金具２１、２２の開き間隔を調整でき、安定した状態で荷物を吊り下げることができる。第１、第２ゴム紐ループ２３、２４の弾性伸縮が、腕および肩に作用する荷物の重量変動を緩和するダンパとして機能し、人体への負担も軽減される。【選択図】図２
0003217249.tif 000002
【実用新案登録請求の範囲】
【請求項１】
荷物を吊り下げるための第１フック金具および第２フック金具と、
前記第１フック金具が取り付けられた第１ゴム紐ループおよび前記第２フック金具が取り付けられた第２ゴム紐ループと、
前記第１、第２ゴム紐ループが取り付けられている長さ調整可能な肩掛けベルトと、
前記第１、第２フック金具と前記肩掛けベルトの間において、前記第１ゴム紐ループおよび前記第２ゴム紐ループを、それらの長さ方向にスライド可能な状態で束ねている第１リングと
を備えている肩掛け具。
【請求項２】
請求項１において、
前記肩掛けベルトは、前記第１、第２ゴム紐ループに通したバックルベルトであり、
前記バックルベルトにおける前記第１、第２ゴム紐ループとバックルとの間のベルト部分を、これらの長さ方向にスライド可能な状態で束ねている第２リングおよび第３リングを備えており、
前記ベルト部分において、前記第２リングは前記第１、第２ゴム紐ループの側に位置し、前記第３リングは前記バックルの側に位置している肩掛け具。
【請求項３】
請求項１または２に記載の肩掛け具と、
前記肩掛け具を収納する携帯用収納袋と
を備えている収納袋付き肩掛け具。
【考案の詳細な説明】
【技術分野】
【０００１】
本考案は、買い物袋、手提げかばん、その他の荷物を持ち運ぶ際に使用する荷物持ち運び用の肩掛け具に関する。
【背景技術】
【０００２】
買い物袋、手提げかばん等を持ち運ぶ際に用いる補助具として、手、腕に掛かる負担を軽減するために、肩掛け具を用いて買い物袋、手提げかばん等を肩に吊り下げた状態で持ち運ぶ肩掛け具が提案されている。このような肩掛け具は、例えば、特許文献１においてショルダーベルトとして提案されており、特許文献２において携帯用手荷物ベルトとして提案されている。
【先行技術文献】
【特許文献】
【０００３】
【特許文献１】特開平４−３３６０１号公報
【特許文献２】特開平２−２５５１０７号公報
【考案の概要】
【考案が解決しようとする課題】
【０００４】
特許文献１に記載のショルダーベルトは、１本のフック金具を手提げかばん等の取っ手に掛けて吊り下げるようにしている。吊り下げ位置が前後に移動しやすいので、吊り下げたかばん等を安定した状態で持ち運ぶことができない場合がある。また、肩掛け部に弾性部材が取付られている場合等においては、吊り下げた荷物の重量が大きいと弾性部材が大きく伸び、肩掛け部が全体として長くなり、歩行中に肩から外れて落ちやすい。
【０００５】
一方、特許文献２に記載の携帯用手荷物ベルトは一対のフック金具を手提げかばんの取っ手等に掛けて吊り下げるようにしている。１本のベルト帯の両端にフック金具が付いたシンプルな構造であるが、歩行中において肩からベルト帯が外れやすい。また、荷物の持ち運びの途中において、フック金具の吊り下げ位置が移動し、フック金具の間隔が変化して、荷物が不安定になることがある。
【０００６】
本考案の目的は、このような点に鑑みて、手荷物等を安定した吊下げ状態で持ち運ぶことができ、また、肩から外れにくい構造を備えた携帯に便利な肩掛け具を提供することにある。
【課題を解決するための手段】
【０００７】
上記の課題を解決するために、本考案の荷物持ち運び用の肩掛け具は、
荷物を吊り下げるための第１フック金具および第２フック金具と、
第１フック金具が取り付けられた第１ゴム紐ループおよび第２フック金具が取り付けられた第２ゴム紐ループと、
第１、第２ゴム紐ループが取り付けられている長さ調整可能な肩掛けベルトと、
第１、第２フック金具と肩掛けベルトの間において、第１ゴム紐ループおよび第２ゴム紐ループを、それらの長さ方向にスライド可能な状態で束ねている第１リングと
を備えていることを特徴としている。
【０００８】
本考案の肩掛け具は、一対の第１、第２フック金具に、持ち運び対象の手荷物等を吊り下げ、肩掛けベルトを肩に掛けて用いる。第１、第２フック金具が取り付けられている第１、第２ゴム紐ループを束ねている第１リングの位置をスライドさせることで、第１、第２フック金具の開き間隔を調整でき、安定した状態で荷物を吊り下げることができる。また、第１、第２ゴム紐ループの弾性伸縮が、腕および肩に作用する荷物の重量変動を緩和するダンパとして機能するので、人体の手、腕、肩などの負担も軽減される。
【０００９】
本考案において、長さ調整可能な肩掛けベルトとして、第１、第２ゴム紐ループに通したバックルベルトを用いることができる。この場合、バックルベルトにおける第１、第２ゴム紐ループとバックルとの間のベルト部分に、これらの長さ方向にスライド可能な状態で束ねている第２リングおよび第３リングを取り付ける。
【００１０】
荷物を吊り下げた状態で、第１、第２ゴム紐ループの側に位置する第２リングを、第１、第２ゴム紐ループの側にスライドさせて押し付けることで、肩掛けベルトに対する第１、第２ゴム紐ループの取付け位置が固定され、歩行時等において、荷物が前後方向等に揺れて不安定になることを防止できる。また、肩掛けベルトを肩にかけた状態で、バックルの側の第３リングを脇の側にスライドさせることで、肩に掛けた肩掛けベルトのループを小さくして肩からずり落ちないように固定できる。このように、第１リングの位置と共に、第２、第３リングの位置を調整することで、安定した状態で荷物を持ち運ぶことができ、また、肩掛けベルトが肩からずり落ちて外れることもない。
【００１１】
本考案において、上記構成の肩掛け具を収納するポケットサイズの携帯用収納袋を備えていることが望ましい。この構成の収納袋付き肩掛け具は、収納袋に肩掛け具を収納して携帯できるので便利である。
【００１２】
本考案の肩掛け具は、スーパーの買い物袋が重いと思った場合、買い物袋の取っ手が手に食い込んで痛いと感じる場合などに用いるのに適している。また、重い袋を下げて何キロメートルも歩かなければならない場合に有効である。さらに、収納袋はポケットサイズなので持ち運びに便利である。また、本考案の肩掛け具は、スーパーマーケット等における箱買いの場合においても、フック金具を掛けることのできる紐などを箱に懸ければ使用できるので便利である。
【図面の簡単な説明】
【００１３】
【図１】本考案を適用した手荷物持ち運び用の収納袋付き肩掛け具の収納状態を示す説明図、収納袋を開けた状態を示す説明図、および、収納袋から肩掛け具を取り出した状態を示す説明図である。
【図２】図１の肩掛け具を示す説明図、およびそのフック金具の側の部分を拡大して示す説明図である。
【図３】図１の肩掛け具の使用状態の一例を示す説明図である。
【考案を実施するための形態】
【００１４】
以下に、本考案の実施の形態を説明する。なお、以下の実施の形態は本考案の一例を示すものであり、本考案は実施の形態に限定されるものではない。
【００１５】
図１（ａ）は本実施の形態に係る手荷物持ち運び用の収納袋付き肩掛け具の収納状態を示す説明図であり、図１（ｂ）は収納袋を開けた状態を示す説明図であり、図１（ｃ）は収納袋から肩掛け具を取り出した状態を示す説明図である。収納袋付き肩掛け具１は、肩掛け具２と、この肩掛け具２を収納する携帯用収納袋３から構成される。携帯用収納袋３は、例えば、携帯電話と同様に手のひらに乗るポケットサイズの大きさの矩形輪郭の袋である。携帯用収納袋３には、その一方の長辺縁から左右の短辺縁の途中まで延びる開口部３１が形成されており、開口部３１は例えばジッパ３２によって封鎖されている。
【００１６】
図２（ａ）は肩掛け具２を示す説明図であり、図２（ｂ）はそのフック金具の側の部分を拡大して示す説明図である。肩掛け具２は、荷物（図示せず）を吊り下げるための同一形状の第１フック金具２１および第２フック金具２２を備えている。第１フック金具２１は第１ゴム紐ループ２３に取り付けられており、第２フック金具２２は第２ゴム紐ループ２４に取り付けられている。第１、第２ゴム紐ループ２３、２４は、長さ調整可能な肩掛けベルト２５に取り付けられている。
【００１７】
第１ゴム紐ループ２３は、一本のゴム紐の両側の端部を不図示の止めリングによって束ねて固定したものである。第１フック金具２１の後端部２１ａは先広がりの円錐台形状となるようにバネ状に巻かれており、ここに、第１ゴム紐ループ２３の結束端部が抜け出ないように通されている。他方の第２ゴム紐ループ２４の結束端部および第２フック金具２２の後端部２２ａも同様に構成されている。一方、肩掛けベルト２５は、本例ではバックルベルトであり、バックル２６によって長さ調整が可能である。肩掛けベルト２５は、第１、第２ゴム紐ループ２３、２４に通されている。
【００１８】
ここで、第１ゴム紐ループ２３および第２ゴム紐ループ２４には、金属製の第１リング２７が取り付けられている。第１リング２７は、第１、第２フック金具２１、２２の後端部２１ａ、２２ａと肩掛けベルト２５の間において、第１、第２ゴム紐ループ２３、２４を、それらの長さ方向にスライド可能な状態で束ねている。
【００１９】
また、バックルベルトである肩掛けベルト２５にも、金属製の第２リング２８および金属製の第３リング２９が取り付けられている。肩掛けベルト２５において、バックル２６と第１、第２ゴム紐ループ２３、２４の取付け部分との間に、第２、第３リング２８、２９が位置する。第２、第３リング２８、２９は、肩掛けベルト２５の両側のベルト部分２５ａ、２５ｂを、これらの長さ方向にスライド可能な状態で束ねている。第２リング２８は第１、第２ゴム紐ループ２３、２４の側に位置し、第３リング２９はバックル２６の側に位置している。
【００２０】
図３は、肩掛け具２の使用状態の一例を示す説明図である。肩掛け具２の肩掛けベルト２５を肩に掛け、一対の第１、第２フック金具２１、２２に持ち運び対象の手提げ袋４の取っ手４ａを吊り下げ、この状態で、手提げ袋４を手で持って運ぶ。
【００２１】
第１、第２フック金具２１、２２からつり下げられている第１、第２ゴム紐ループ２３、２４を束ねている第１リング２７を下方にスライドさせて押し付けることで、第１、第２フック金具２１、２２の開き間隔を固定でき、安定した状態で荷物を吊り下げることができる。また、第１、第２ゴム紐ループ２３、２４の弾性伸縮が、腕および肩に作用する手提げ袋の重量変動を緩和するダンパとして機能し、人体への負担が軽減される。
【００２２】
また、手提げ袋４を吊り下げた状態において、肩掛けベルト２５における第１、第２ゴム紐ループ２３、２４の側に位置する第２リング２８を、これら第１、第２ゴム紐ループ２３、２４の側にスライドさせて押し付ける。これにより、肩掛けベルト２５に対する第１、第２ゴム紐ループ２３、２４の吊り下げ位置が固定され、歩行時等において、手提げ袋４が前後方向等に揺れて不安定になることを防止できる。
【００２３】
さらに、肩掛けベルト２５を肩にかけた状態で、バックル２６の側の第３リング２９を脇の側にスライドして押し付ける。これにより、肩に掛けた肩掛けベルト２５のループを小さくして、肩からずり落ちないように固定できる。このように、第１リング２７の位置と共に、第２、第３リング２８，２９の位置を調整することで、安定した状態で手荷物を持ち運ぶことができる。また、肩掛けベルト２５が肩からずり落ちて外れることも防止できる。
【符号の説明】
【００２４】
１  収納袋付き肩掛け具
２  肩掛け具
３  携帯用収納袋
４  手提げ袋
４ａ  取っ手
２１  第１フック金具
２１ａ  後端部
２２  第２フック金具
２２ａ  後端部
２３  第１ゴム紐ループ
２４  第２ゴム紐ループ
２５  肩掛けベルト
２５ａ、２５ｂ  ベルト部分
２６  バックル
２７  第１リング
２８  第２リング
２９  第３リング
３１  開口部
３２  ジッパ
【図１】
0003217249.tif 000003
【図２】
0003217249.tif 000004
【図３】
0003217249.tif 000005